(57)【特許請求の範囲】
【請求項１】
緯糸から成る多数の線体が、当該緯糸に経糸を使用して織製したテープ状の支持体の両側端からテープ状面の延長面上に突出すると共に、支持体の長手方向に直交することを特徴とする鳥害防止具。
【請求項２】
経糸の片側を伸縮性糸とし、支持体が長手方向にカールして成ることを特徴とする請求項１記載の鳥害防止具。
【請求項３】
線体はモノフィラメント糸であることを特徴とする請求項１又は２記載の鳥害防止具。
【請求項４】
線体は透明材又は半透明材より成ることを特徴とする請求項１、２又は３記載の鳥害防止具。
【発明の詳細な説明】
【０００１】
【発明の属する技術分野】
本発明は、カラス等の鳥類が電柱や鉄塔に止まることや、送電線等の架線に止まることによる糞害や、送電線への接触事故を防止するため、その他の場所での鳥害防止具に関するものである。
【０００２】
【従来の技術】
従来の鳥害防止具としては、鉄塔の送電線支持部に支持部材を取り付け、この支持部材にステンレス製細線材を回転自在に風車状に取り付けたものや、送電線支持部にステンレス製の針山を設けて鳥が止まらないようにしたもの等、様々な種類のものが提案されている。
【０００３】
【発明が解決しようとする課題】
近年、カラス等の鳥類による営巣、糞害、送電線への接触事故が多発し、電線や碍子の損傷を起こしたり、或いはショート原因ともなっている。
又、高圧送電線鉄塔の梁部材上にカラス等が止まって排泄をすると、作業者が梁部材上を歩行した時に滑るので非常に危険である。
そこで、上記のように従来風車や針山を設けたものが提案されているが、これ等は耐久性はあるがステンレス製で形成されているため、風等によって碍子等に接触してショートを誘因したり騒音の原因となっている。又取り付けが面倒で時間が掛かり、作業能率が悪い問題点を有している。
【０００４】
上記点より本発明は、簡単な構成で電柱や鉄塔等への取り付けも容易で、ショートの恐れがなく、カラス等の鳥を寄せ付けることのない鳥害防止具を提供しようとするものである。
【０００５】
【課題を解決するための手段】
上記課題を解決するため本発明鳥害防止具は、緯糸から成る多数の線体が、当該緯糸に経糸を使用して織製したテープ状の支持体の両側端からテープ状面の延長面上に突出すると共に、支持体の長手方向に直交することを特徴とするものである。
又、請求項１の鳥害防止具において、経糸の片側を伸縮性糸とし、支持体が長手方向にカールしていることが好ましく、又請求項１又は２の鳥害防止具において、線体はモノフィラメント糸であることが好適である。
又、請求項１、２又は３記載の鳥害防止具において、線体は透明材又は半透明材より成ることが好ましい。
【０００６】
上記構成を有する本発明は、電柱や鉄塔の主柱から側方へ延出した梁等の腕部材に本発明具の支持体の一端を固定して下方へ垂れ下げるか、或いは腕部材を巻くようにして支持体の両端部を結着し、本発明具を輪状にして吊り下げれば、支持体の両側から多数の線体が突出しているので風を受けて揺れ動き、カラス等の鳥が寄り付かない。又電柱や鉄塔の主柱に巻き付けても有効である。
【０００７】
又、カラス等が近づいて線体に触れると、多数の線体に当たるので二度と近づかなくなる。そして線体を透明材又は半透明材を使用すれば、線体の存在が分かりづらく、不用意に触れて驚くは必至で、より効果的である。
又、支持体を長手方向にカールしておけば、線体は本鳥類防止具の周囲のあらゆる方向に向けて突出することになり、どの方向からカラス等の鳥が近づいても対処でき、その製造は織物製造の設備・技術を用いて容易に、しかも多量、安価に得られるものである。
【０００８】
【発明の実施の形態】
以下、本発明の一実施の形態を図面に基づき説明する。
図１は本発明鳥害防止具の一実施の形態を示す一部省略した正面図、図２は製作途中の部分正面図、図３は支持体がカールした本発明鳥害防止具の一部省略した正面図、図４は使用状態を示す部分正面図である。
【０００９】
本発明鳥害防止具は、電柱や鉄塔の上部に設置されている側方へ延出した梁等の腕部材に取り付け使用するものであり、鳥害防止具Ａはテープ状の支持体１の長手方向に直交し、かつテープ状面の延長面上に、支持体１の両側端から多数の線体２が支持体１の全長に渉って突出しているものである。
図１及び図２は、鳥害防止具Ａがテープ状の支持体１と多数の線体２から構成されているものであり、支持体１は経糸３・緯糸６で平織した細巾の織物地で形成し、この支持体１を形成する緯糸６をそのまま両側端より延伸させて、線体２としたものである。
【００１０】
図２はモノフィラメントから成る線体２を緯糸６とし、これに任意の材質の経糸３を使用し、経糸３を支持体１とする細巾の範囲で一群とし、一定間隔毎に配置して緯糸６で織製すると共に、緯糸６の線体２を支持体１、１間の鎖線で示す中間箇所で切断して鳥害防止具Ａを製作するものである。
【００１１】
支持体１の長さは取り付け状況によって異なるが、巾は約１．５ｃｍ、線体２の長さは約１０ｃｍ程度が好ましいが、必ずしもこれに限定されるものでないことは当然である。
モノフィラメント糸はテグス等が好適で、材質にナイロン、ポリエステルを使用し、硬くて腰のあるものが好ましい。
又、線体２は透明又は半透明であればより好ましく、更に支持体１の長手方向に適宜間隔をおいて設けることもできる。
【００１２】
図３は、支持体１が長手方向にカールした本発明の鳥害防止具Ａを示すものであり、経糸３・緯糸６で織製した支持体１のテープ形状の巾方向の中央部で両側の経糸３の糸の太さを変えたり、片側に伸縮性糸を使用することや、支持体１の織製した布地に癖を付けることで、簡単に支持体１をカールさせることができる。
【００１３】
次に、本発明鳥害防止具の取り付けは、図４は電柱４に取り付け使用した場合を示している。鉄塔に取り付ける時も基本的に差異はないので、電柱４の場合につき説明する。
取り付けは、電柱４の上部に側方に延出した腕金５に鳥害防止具Ａの一端を直接結び着けるか、或いは鳥害防止具Ａの一端に紐を連結し、この紐を腕金５に結び付着けて真直ぐ垂れ下げることが簡単でよい。又腕金５に鳥害防止具Ａを巻いて両端部を結び、輪状に掛けることもできる。
【００１４】
又、腕金５にボルト挿通孔（図示せず）を開設し、このボルト挿通孔に取り付けボルト杆（図示せず）を取り付けて、取り付けボルト杆に鳥害防止具Ａの一端を結び着けることもでき、又電柱４に別途に腕杆を取り付け、腕杆から吊り下げることもできる。
尚、腕金５には間隔をおいて複数の鳥害防止具Ａを吊設することもできる。
又、電線から直線下げることもできる。又電柱や鉄塔だけでなく、カラス等の鳥の害から防護の必要があれば、果実のなる木や畑、ゴミ集積場所等にも設置でき、取り付けも状況によって下方へ垂らすのみならず、横方向に張設して使用することも可能である。
【００１５】
【発明の効果】
本発明によれば、例えば電柱や鉄塔等の腕部材から鳥害防止具を下げれば、多数の線体が支持体の両側端から突出し、風を受けて揺れ動くのでカラス等の鳥が寄り付かなくなる。
又、カラス等が近づいて線体に触れると、多数の線体に当たるので二度と近づかなくなる。そして線体を透明材又は半透明材を使用すれば、線体の存在が分かりづらく、不用意に触れて驚くは必至で、より効果的であり、支持体を長手方向にカールしておけば線体は本鳥類防止具の周囲のあらゆる方向に向けて突出することになり、どの方向からカラス等の鳥が近づいても対処できる。
更に、その製造は織物製造の設備・技術を用いて容易に、しかも多量、安価に得られるものである。
そして、構成が簡単で、しかも腕部材への取付は結ぶだけでよく、容易に迅速に取り付け作業ができ、電柱や鉄塔をカラス等の鳥の営巣や糞害、或いはショート事故から防護できるものである。
又、作業者も鉄塔の梁上の歩行時等に糞等を踏むことにより滑ることがないので安全で、かつ鳥害防止具に触れても怪我の恐れがなく、安全性の高い有用な発明である。
【図面の簡単な説明】
【図１】本発明鳥害防止具の一実施の形態を示す一部省略した正面図である。
【図２】本発明鳥害防止具の製作途中の部分正面図である。
【図３】本発明鳥害防止具の支持体がカールした状態を示す一部省略した正面図である。
【図４】本発明鳥害防止具の使用状態を示す部分正面図である。
【符号の説明】
Ａ  鳥害防止具
１  支持体
２  線体
３  経糸
４  電柱
５  腕金
６  緯糸
【図１】
0003540270.tif 000002
【図２】
0003540270.tif 000003
【図３】
0003540270.tif 000004
【図４】
0003540270.tif 000005